(57)【特許請求の範囲】
【請求項１】
アンテナが配置される第１回路基板と、
前記アンテナに対向するアンテナ対向領域が形成されて前記第１回路基板の厚さ方向に重なり合って前記第１回路基板に配置されるケース体と、
前記ケース体の前記第１回路基板側と反対の位置に配置されると共に、キートップを有するキーシートと、
前記キーシートと前記ケース体との間に配置されると共に、前記キートップで押圧される金属部を有する第２回路基板と、
前記第１回路基板、前記ケース体、前記第２回路基板及び前記キーシートを収納する筐体とを備え、
前記ケース体は、前記アンテナ対向領域が非導電性を有すると共に、前記アンテナ対向領域を除く領域が導電性を有し、
前記金属部は、前記第２回路基板において前記アンテナと前記第１回路基板の厚さ方向で重なり合わない位置に配置されていることを特徴とする無線通信端末。
【請求項２】
前記ケース体は、前記アンテナ対向領域を含む平板部と当該平板部から第１回路基板側に突出するリブを有し、
前記リブは、前記アンテナ対向領域の周縁上の少なくとも一部の区間で形成されないか、又は断続的に形成されることを特徴とする請求項１に記載の無線通信端末。
【請求項３】
前記第１回路基板には、前記アンテナと前記回路基板の厚さ方向に重なり合わない位置に基準電位パターンが形成されることを特徴とする請求項１または請求項２に記載の無線通信端末。
【請求項４】
前記アンテナは、前記第１回路基板の前記ケース体と反対側に配置されていることを特徴とする請求項１乃至請求項３のいずれか一項に記載の無線通信端末。
【請求項５】
前記アンテナは、前記第１回路基板の端部に配置されていることを特徴とする請求項１乃至請求項４のいずれか一項に記載の無線通信端末。
【発明の詳細な説明】
【技術分野】
【０００１】
本発明は、筐体の内部にアンテナが設けられている無線通信端末に関するものである。
【背景技術】
【０００２】
従来の携帯電話機等の無線通信端末には、ユーザーがこの無線通信端末に搭載されている伸縮式のアンテナをその長さ方向外側に引伸ばしてから、通話等の通信を行なうようになっているものがあった。
【０００３】
しかしながら、このような伸縮式のアンテナは、それを外側に引伸ばした分だけ無線通信端末の長さ寸法が大きくなるため、無線通信端末のコンパクト化の障害となっていた。このため、このような外側に伸びるアンテナの代わりに、筐体の内部に内蔵型のアンテナを設けて、通信時にもコンパクトな状態を維持することができるようにした無線通信端末があった（例えば、特許文献１ないし３参照）。
【先行技術文献】
【特許文献】
【０００４】
【特許文献１】特開２００３−１０１６２３号公報
【特許文献２】特開平１１−３１２９１２号公報
【特許文献３】特開平１０−１６３７４８号公報
【発明の概要】
【発明が解決しようとする課題】
【０００５】
しかしながら、前記特許文献１ないし３のような内蔵型のアンテナが設けられた無線通信端末は、このアンテナが筐体内の回路基板等におけるグランド（基準電位が導通する金属部分）の近傍に配置されることになるため、前記伸縮式のアンテナが搭載されている無線通信端末と比べ、アンテナの利得が劣化してしまうという問題があった。
【０００６】
そこで本発明は、上記問題点に鑑みて、内蔵型のアンテナの利得の劣化を防止することができる無線通信端末を提供することを課題とするものである。
【課題を解決するための手段】
【０００７】
上記課題を解決するために、本発明の無線通信端末は、アンテナが配置される第１回路基板と、前記アンテナに対向するアンテナ対向領域が形成されて前記第１回路基板の厚さ方向に重なり合って前記第１回路基板に配置されるケース体と、前記ケース体の前記第１回路基板側と反対の位置に配置されると共に、キートップを有するキーシートと、前記キーシートと前記ケース体との間に配置されると共に、前記キートップで押圧される金属部を有する第２回路基板と、前記第１回路基板、前記ケース体、前記第２回路基板及び前記キーシートを収納する筐体とを備え、前記ケース体は、前記アンテナ対向領域が非導電性を有すると共に、前記アンテナ対向領域を除く領域が導電性を有し、前記金属部は、前記第２回路基板において前記アンテナと前記第１回路基板の厚さ方向で重なり合わない位置に配置されていることを特徴とするものである。
また、本発明による無線通信端末は、前記ケース体は、前記アンテナ対向領域を含む平板部と当該平板部から第１回路基板側に突出するリブを有し、前記リブは、前記アンテナ対向領域の周縁上の少なくとも一部の区間で形成されないか、又は断続的に形成されることを特徴とするものである。
また、本発明による無線通信端末は、前記第１回路基板には、前記アンテナと前記回路基板の厚さ方向に重なり合わない位置に基準電位パターンが形成されることを特徴とするものである。
また、本発明による無線通信端末は、前記アンテナは、前記第１回路基板の前記ケース体と反対側に配置されていることを特徴とするものである。
【０００８】
また、本発明による無線通信端末は、前記アンテナは、前記第１回路基板の端部に配置されていることを特徴とするものである。
【発明の効果】
【０００９】
このような本発明の無線通信端末によれば、内蔵型のアンテナの利得の劣化を防止することができる。
【図面の簡単な説明】
【００１０】
【図１】本発明の第１ないし第３の実施の形態に係る折畳み型携帯電話機２，９０，９５を示す斜視図である。
【図２】本発明の第１の実施の形態に係る折畳み型携帯電話機２の図１に示す第２筐体８の上側ケース１８及び下側ケース２０、並びにこの第２筐体８内に収納されるリジッド基板２２、ケース体２４、キーＦＰＣ２８、キーシート３０、及びアンテナ３２の組立て前の状態を示す分解側面図である。
【図３】図２に示すリジッド基板２２のＡ−Ａ線矢視図である。
【図４】図３に示すリジッド基板２２の背面図である。
【図５】第１の実施の形態に係る折畳み型携帯電話機２のケース体２４であって、図２中のＢ−Ｂ線矢視図である。
【図６】図２に示す第２筐体８の上側ケース１８及び下側ケース２０、並びにこの第２筐体８内に収納されるリジッド基板２２、ケース体２４、キーＦＰＣ２８、キーシート３０、及びアンテナ３２の組立てた状態を示す第２筐体８のＣ−Ｃ線矢視断面図である。
【図７】第２の実施の形態に係る折畳み型携帯電話機９０のケース体９２のリジッド基板２２側から見た平面図である。
【図８】第３の実施の形態に係る折畳み型携帯電話機９５のケース体９７のリジッド基板２２側から見た平面図である。
【発明を実施するための形態】
【００１１】
以下、本発明に係る無線通信端末の実施の形態について、図面に基づいて具体的に説明する。
【００１２】
図１ないし図６は、本発明の第１の実施の形態に係る折畳み型携帯電話機２（無線通信端末に相当）、ケース体２４（シールドケースに相当）、及びケース体２４の製造方法について説明するために参照する図である。
【００１３】
図１に示すように、本実施の形態に係る折畳み型携帯電話機２は、ヒンジ４を介して回動自在に連結される第１筐体６と第２筐体８とを備えている。第１筐体６は、表示部１０及びスピーカー１２を有しており、スピーカー１２は第１筐体６の長さ方向におけるヒンジ４とは反対側の端部寄りの位置に配置されている。また、第２筐体８は操作部１４及びマイクロホン１６を有しており、マイクロホン１６は第２筐体８の長さ方向におけるヒンジ４とは反対側の端部寄りの位置に配置されている。
【００１４】
第２筐体８は、操作部１４を有する上側ケース１８と、その裏側の下側ケース２０を備えて構成されている。図２に示すように、この上側ケース１８と下側ケース２０の間に形成される内部の空間には、下側ケース２０側から順に、リジッド基板２２（第１回路基板又は回路基板に相当）、ケース体２４、キーＦＰＣ（フレキシブル基板）２８（第２回路基板に相当）、及びキーシート３０が収納されている。
【００１５】
リジッド基板２２には、その下側ケース２０側の第１面２２ａ、及びこの第１面２２ａとは反対側の第２面２２ｂに、図示しない各種の電子部品が配置されている。また、リジッド基板２２の第１面２２ａ上には、内蔵型のアンテナ３２が固定されている。
【００１６】
このアンテナ３２は、図３に示すように、リジッド基板２２におけるその長さ方向（ヒンジ４側とマイクロホン１６側とを結ぶ方向）のヒンジ４側の端部であって、かつ幅方向の一方の端部に配置されている。リジッド基板２２は、その基準電位が導通する第１面２２ａ上の基準電位パターン３６が、アンテナ３２と重なり合わないような位置に形成されている。アンテナ３２は、第１面２２ａ上に形成された図示しない配線パターンと回路接続して給電される。
【００１７】
また、リジッド基板２２は、図４に示すように、その裏側の第２面２２ｂ側においても、基準電位が導通する基準電位パターン３８が、このリジッド基板２２の厚さ方向においてアンテナ３２と重なり合わないような位置に形成されている。
【００１８】
さらに、リジッド基板２２が多層基板であるならば、図示しないが、その内部層においても基準電位パターンが、アンテナ３２と重なり合わないような位置に形成される。また、基準電位パターンだけでなく配線パターンについても、アンテナ３２への給電部分を除いて、リジッド基板２２の表面層又は内部層を問わず、極力アンテナ３２に重なり合わない位置に形成される。
【００１９】
次に、図５に示すように、ケース体２４は、平面形状が略矩形であって、ほぼ平坦な平面を有する平板部２５と、この平板部２５からリジッド基板２２側（図５中、紙面に直角方向の手前側）に高さを有するように形成されたリブ２６を有している。リブ２６は、平板部２５の縁部のほぼ全周、及び平面形状の内側の所定の位置に形成されている。
【００２０】
ケース体２４は、図２に示すように、平板部２５がリジッド基板２２と平行に配置されると共に、リブ２６の高さ方向の端面がリジッド基板２２の第２面２２ｂに当接するように、このリジッド基板２２に取付けられる。ケース体２４は、リジッド基板２２の第２面２２ｂ上の不図示の高周波回路などの電子部品を覆って、この第２面２２ｂとの間に閉空間を形成する。
【００２１】
ケース体２４の平板部２５は、図５に示すアンテナ対向領域Ｓ（図中、四辺形の斜線部）が、リジッド基板２２の厚さ方向にてアンテナ３２に対向している。つまり、アンテナ対向領域Ｓは、リジッド基板２２の厚さ方向にてアンテナ３２と重なり合っている。このアンテナ対向領域Ｓの周縁には、平板部２５の長さ方向と平行に平板部２５の縁部に形成されたリブ２６ａと、平板部２５の平面形状の内側において、平板部２５の幅方向と平行に形成されたリブ２６ｂ、及び平板部２５の長さ方向と平行に形成されたリブ２６ｃが配置されている。そして、アンテナ対向領域Ｓの周縁の四辺のうちリブ２６ａ，２６ｂ，２６ｃに対応する三辺以外の辺に対応する平板部２５の一定長さの区間には、リブ２６は形成されていない。
【００２２】
また、ケース体２４には、その芯材として硬質で非導電性の合成樹脂材が用いられており、芯材の表側及び裏側の表面のほぼ全域に蒸着法等による金属質の導電層が形成されている。この表面の導電層は、ケース体２４が上ケース１８と下ケース２０の間に組み込まれた際に、リジッド基板２２の第２面２２ｂ上の基準電位パターン３８（図４参照）に設けた接点と接触して導通し、基準電位パターン３８と同じ電位となる。このため、ケース体２４は、アンテナ対向領域Ｓを除き、シールドケースとして機能する。
【００２３】
すなわち、ケース体２４はシールドケースとして、外部からのノイズがリジッド基板２２の第２面２２ｂ上の図示しない複数の電子部品に作用するのを防いでおり、また、この図示しない複数の電子部品のそれぞれから生じるノイズが、互いに作用したりアンテナに回り込んだりするのを防いでいる。
【００２４】
例えば、ケース体２４は、図２に示すリジッド基板２２の第２面２２ｂ上に配置される不図示の、無線周波数を生成するＲＦ（Ｒａｄｉｏ  Ｆｒｅｑｕｅｎｃｙ）モジュールなどの高周波回路から放出されるノイズを吸収して、同じくリジッド基板２２の第２面２２ｂ上に配置される不図示のベースバンドチップセットなどに作用するのを防ぐようになっている。
【００２５】
また、ケース体２４は、平板部２５におけるアンテナ対向領域Ｓ（図５参照）においては、表側と裏側の各表面上に導電層は形成されていない。このようにアンテナ対向領域Ｓの表側と裏側の各表面上に導電層が形成されないようにするには、ケース体２４の芯材の表面全体に蒸着法等による導電層を形成する際に、アンテナ対向領域Ｓの表側と裏側の表面上に予めマスキングを施しておき、表面全体の領域に導電層が形成された後に、そのマスキングを導電層と共に取除くようにする。これにより、マスキングした個所以外には導電層を残すことができる。
【００２６】
このようなマスキングは、例えば、一方の面に粘着層を有するテープを貼付けたり、当初は液状であって固化した後に簡単に剥がせるようになる塗料を塗布したりすることにより施すことができる。
【００２７】
また、マスキング用のテープや塗料を用いない、他のマスキング方法としては、図示しないが、平板部２５の厚さ寸法とほぼ同じ隙間幅のスリットを有して断面略コ字状に形成されたマスキング部材を用いる方法も考えられる。すなわち、この図示しないマスキング部材を、アンテナ対向領域Ｓのリブ２６が無い辺側から、このアンテナ対向領域Ｓの表側と裏側の面とをスリット内側に挟み込むように取付け、その上でケース体２４の表面全体の領域に導電層を形成する。導電層の形成後にマスキング部材を取外せば、アンテナ対向領域Ｓは表裏面ともに導電層が形成されないようにすることができ、その他の領域は導電性を持たせてシールドケースとして機能させることができる。
【００２８】
次に、図２に示すように、ケース体２４に対してリジッド基板２２側と反対側の位置には、後述するキーＦＰＣ２８を挟んでキーシート３０が、ケース体２４の平板部２５と平行に配置されている。キーシート３０は、シリコンゴム製のシート７８上に複数のキートップ８０が貼付けられて構成されている。
【００２９】
また、図１に示すように、第２筐体８の上側ケース１８には、第１筐体６と第２筐体８を互いに折畳んだときに表示部１０の表示面と対向する操作面８１に、複数のキー孔８２が形成されている。各キー孔８２からは、キーシート３０のキートップ８０のそれぞれにおける、手の指等を接触させるための押圧面が外部に露出する。そして、このキートップ８０の押圧面が手の指等を接触させて押されると、その裏面が対応する後述のキースイッチ４８を押圧するようになっている。
【００３０】
また、図２に示すように、ケース体２４の平板部２５と、キーシート３０の間には、キーＦＰＣ２８が挟まれて配置される。キーＦＰＣ２８は、その上側ケース１８側の第１面２８ａに複数のキースイッチ４８を有しており、この第１面２８ａとは反対側の第２面２８ｂが、ケース体２４の平板部２５の上に載置される。
【００３１】
キーＦＰＣ２８のキースイッチ４８は、立体的に椀状に湾曲して形成された金属板のメタルドーム６２を有する構造になっている。メタルドーム６２は、その椀状の形状の頂点が押圧されると、キーＦＰＣ２８上に印刷された図示しない電気回路のスイッチ端子に接触して、電気導通するようになっている。図６に示すように、リジッド基板２２の厚さ方向において、メタルドーム６２はアンテナ３２と重なり合わない位置に設けられている。
【００３２】
このような本実施の形態に係る折畳み型携帯電話機２、ケース体２４、及びケース体２４の製造方法によれば、ケース体２４の平板部２５のアンテナ対向領域Ｓに導電層が形成されないため、アンテナ３２の利得の劣化を防止することができる。
【００３３】
さらに、アンテナ３２に重なる位置さえ外せば、アンテナ対向領域Ｓ上に導電性を有するメタルドーム６２を配置しても、アンテナ３２の電波放射特性に悪影響を与えにくいため、ケース体２４のほぼ全域にわたりキースイッチ４８を配置することができるようになり、折畳み型携帯電話機２の操作性を良くすることができる。
【００３４】
また、ケース体２４は、アンテナ対向領域Ｓの周縁の四辺のうちリブ２６ａ，２６ｂ，２６ｃに対応する三辺以外の辺に対応する平板部２５の一定長さの区間には、リブ２６が形成されないようになっているため、アンテナ対向領域Ｓに導電層を形成しないようにするためのマスキングの作業を容易にすることができる。
【００３５】
すなわち、上記アンテナ対向領域Ｓの周縁上であってケース体２４の幅方向に平行である一定長さの区間において、リブ２６が形成されていないため、アンテナ対向領域Ｓのリジッド基板２２側（図５中、紙面に直角方向の手前側）の面に、ケース体２４の長さ方向に沿ってマスキング用のテープを貼付けたり、マスキング用の塗料を塗布したりする場合には、テープを貼付けたり塗料を塗布したりする作業の障害が少なくなり、これらの作業を容易に行なうことができるようになっている。
【００３６】
例えば、このようなマスキング用のテープとして、アンテナ対向領域Ｓの表側及び裏側の各々の面に対応する２つの平面形状に、両者をつなぐ方向に平板部２５の厚さ分の長さを足し合わせて一体的に連続するように形成した平面形状のテープを予め用意しておき、このテープをアンテナ対向領域Ｓのリブの無い辺側を用いて表側の面からケース体２４の側面を回り込んで裏側の面に至るように貼り付けることができる。つまり、本実施の形態に係るケース体２４によれば、このようなテープ１枚だけで容易にマスキングすることができる。さらに、導電層の形成後にマスキングを取除く時にも、この１枚のテープを剥がすだけで済むため、作業性が良くなる。
【００３７】
また、本実施の形態に係る折畳み型携帯電話機２、ケース体２４、及びケース体２４の製造方法によれば、アンテナ対向領域Ｓには、マスキングする際に用いられる周縁部の一辺以外の個所にリブ２６ａ，２６ｂ，２６ｃが設けられているので、キーシート３０においてアンテナ対向領域Ｓ上に配置されるキートップ８０が押下されてメタルドーム６２が押圧されたとしても、直下のケース体２４は、リブ２６ａ，２６ｂ，２６ｃがリジッド基板２２に対して突っ張り、ケース体２４の平板部２５とリジッド基板２２との間のクリアランスを一定に保ち続けるだけの強度を得ることができる。
【００３８】
また、折畳み型携帯電話機２のケース体２４は、その平板部２５全面が上側ケース１８側（図５中、紙面に直角方向の奥側）において、ほぼ平坦に形成されているので、平板部２５上に配置されるキーシート３０の平面領域内において、キートップ８０をレイアウトする際に、段差等の障害に留意する必要が無くなるため、キートップ８０のレイアウトの自由度を向上させることができる。
【００３９】
また、折畳み型携帯電話機２は、キーＦＰＣ２８のメタルドーム６２が、アンテナ３２とリジッド基板２２の厚さ方向に重なり合わない位置に設けられているため、アンテナ３２の利得の劣化を防止することができる。
【００４０】
次に、図１、図２及び図７に基づいて本発明の第２の実施の形態に係る折畳み型携帯電話機９０（無線通信端末に相当）、ケース体９２、及びケース体９２の製造方法について説明する。
【００４１】
本実施の形態に係る折畳み型携帯電話機９０は、図１に示すように、前記第１の実施の形態に係る折畳み型携帯電話機２と同様に、第１筐体６と第２筐体８とを備えており、第２筐体８の上側ケース１８と下側ケース２０の間の空間には、図２に示すように、やはり前記第１の実施の形態に係る折畳み型携帯電話機２と同様のリジッド基板２２、キーＦＰＣ２８、及びキーシート３０が収納されている。
【００４２】
そして、本実施の形態に係る折畳み型携帯電話機９０では、前記第１の実施の形態に係る折畳み型携帯電話機２のケース体２４の代わりに、図７に示すようなケース体９２を備えている。
【００４３】
このケース体９２の平板部２５におけるアンテナ対向領域Ｓの周縁には、平板部２５の幅方向と平行に平板部２５の縁部に形成されたリブ２６ｄと、平板部２５の平面形状の内側において、平板部２５の幅方向と平行に形成されたリブ２６ｂ、及び平板部２５の長さ方向と平行に形成されたリブ２６ｃが配置されている。そして、アンテナ対向領域Ｓの周縁の四辺のうちリブ２６ｂ，２６ｃ，２６ｄに対応する三辺以外の辺に対応する平板部２５の一定長さの区間には、リブ２６は形成されていない。
【００４４】
このような本実施の形態に係る折畳み型携帯電話機９０、ケース体９２、及びケース体９２の製造方法によれば、前記第１の実施の形態と同様に、ケース体９２の平板部２５のアンテナ対向領域Ｓに導電層が形成されないため、アンテナ３２の利得の劣化を防止することができる。
【００４５】
さらに、アンテナ３２に重なる位置さえ外せば、アンテナ対向領域Ｓ上に導電性を有するメタルドーム６２を配置しても、アンテナ３２の電波放射特性に悪影響を与えにくいため、ケース体２４のほぼ全域にわたりキースイッチ４８を配置することができるようになり、折畳み型携帯電話機９０の操作性を良くすることができる。
【００４６】
また、アンテナ対向領域Ｓの周縁の四辺のうちリブ２６ｂ，２６ｃ，２６ｄに対応する三辺以外の辺に対応する平板部２５の一定長さの区間には、リブ２６が形成されないようになっているため、前記第１の実施の形態と同様に、アンテナ対向領域Ｓに導電層を形成しないようにするためのマスキングの作業を容易にすることができる。
【００４７】
また、本実施の形態に係る折畳み型携帯電話機９０、ケース体９２、及びケース体９２の製造方法によれば、アンテナ対向領域Ｓには、マスキングする際に用いられる周縁部の一辺以外の個所にリブ２６ｂ，２６ｃ，２６ｄが設けられているので、キーシート３０においてアンテナ対向領域Ｓ上に配置されるキートップ８０が押下されてメタルドーム６２が押圧されたとしても、直下のケース体９２は、リブ２６ｂ，２６ｃ，２６ｄがリジッド基板２２に対して突っ張り、ケース体９２の平板部２５とリジッド基板２２との間のクリアランスを一定に保ち続けるだけの強度を得ることができる。
【００４８】
また、折畳み型携帯電話機９０のケース体９２は、前記第１の実施の形態と同様に、平板部２５全面が上ケース１８側（図７中、紙面に直角方向の奥側）において、ほぼ平坦に形成されているので、平板部２５上に配置されるキーシート３０の平面領域内において、キートップ８０をレイアウトする際に、段差等の障害に留意する必要が無くなるため、キートップ８０のレイアウトの自由度を向上させることができる。
【００４９】
また、折畳み型携帯電話機９０は、前記第１の実施の形態と同様に、キーＦＰＣ２８のメタルドーム６２が、アンテナ３２とリジッド基板２２の厚さ方向に重なり合わない位置に設けられているため、アンテナ３２の利得の劣化を防止することができる。
【００５０】
次に、図１、図２及び図８に基づいて本発明の第３の実施の形態に係る折畳み型携帯電話機９５（無線通信端末に相当）、ケース体９７、及びケース体９７の製造方法について説明する。
【００５１】
本実施の形態に係る折畳み型携帯電話機９５は、前記第１の実施の形態に係る折畳み型携帯電話機２のケース体２４の代わりに、図８に示すようなケース体９７を備えている。
【００５２】
このケース体９７の平板部２５におけるアンテナ対向領域Ｓの周縁には、平板部２５の長さ方向と平行に平板部２５の縁部に断続的に形成されたリブ２６ｅと、平板部２５の平面形状の内側において、平板部２５の幅方向と平行に形成されたリブ２６ｂ、及び平板部２５の長さ方向と平行に形成された２６ｃが配置されている。そして、アンテナ対向領域Ｓの周縁の四辺のうちリブ２６ｂ，２６ｃ，２６ｅに対応する三辺以外の辺に対応する平板部２５の一定長さの区間には、リブ２６は形成されていない。
【００５３】
このような本実施の形態に係る折畳み型携帯電話機９５、ケース体９７、及びケース体９７の製造方法によれば、前記第１及び第２の実施の形態と同様に、ケース体９７の平板部２５のアンテナ対向領域Ｓに導電層が形成されていないため、アンテナ３２の利得の劣化を防止することができる。
【００５４】
さらに、アンテナ３２に重なる位置さえ外せば、アンテナ対向領域Ｓ上に導電性を有するメタルドーム６２を配置しても、アンテナ３２の電波放射特性に悪影響を与えにくいため、ケース体９７のほぼ全域にわたりキースイッチ４８を配置することができるようになり、折畳み型携帯電話機９５の操作性を良くすることができる。
【００５５】
また、ケース体９７は、平板部２５の周縁上であると共にアンテナ対向領域Ｓの周縁上であって、平板部２５の長さ方向に平行である一定長さの区間において、断続的なリブ２６ｅが形成されると共に、幅方向に平行である一定長さの区間においてリブ２６が形成されないようになっているため、前記第１及び第２の実施の形態と同様に、アンテナ対向領域Ｓに導電層を形成しないようにするためのマスキングの作業を容易にすることができる。
【００５６】
また、本実施の形態に係る折畳み型携帯電話機９５、ケース体９７、及びケース体９７の製造方法によれば、アンテナ対向領域Ｓには、マスキングする際に用いられる周縁部の一辺以外の個所にリブ２６ｂ，２６ｃ，２６ｅが設けられているので、キーシート３０においてアンテナ対向領域Ｓ上に配置されるキートップ８０が押下されてメタルドーム６２が押圧されたとしても、直下のケース体９７は、リブ２６ｂ，２６ｃ，２６ｅがリジッド基板２２に対して突っ張り、ケース体９７の平板部２５とリジッド基板２２との間のクリアランスを一定に保ち続けるだけの強度を得ることができる。
【００５７】
また、本実施の形態に係る折畳み型携帯電話機９５、ケース体９７、及びケース体９７の製造方法によれば、アンテナ対向領域Ｓの周縁部には、断続的なリブ２６ｅが形成されているため、マスキング用の塗料を用いてアンテナ対向領域Ｓにマスキングを施す場合には、このマスキング用の塗料を、リブ２６ｅの断続的な間隔部分を通って表裏面に連続的に塗布したり、また、表裏面のマスキングを連続的に剥がしたりすることができ、マスキングの作業性を上げつつも、リジッド基板２２に対するリブ２６ｅの突っ張り力を確保できるため、キーシート３０においてアンテナ対向領域Ｓ上に配置されるキートップ８０の押下に対し、強度の低下を防止することができる。
【００５８】
また、折畳み型携帯電話機９５のケース体９７は、前記第１及び第２の実施の形態と同様に、平板部２５全面が上ケース１８側（図８中、紙面に直角方向の奥側）において、ほぼ平坦に形成されているので、平板部２５上に配置されるキーシート３０の平面領域内において、キートップ８０をレイアウトする際に、段差等の障害に留意する必要が無くなるため、キートップ８０のレイアウトの自由度を向上させることができる。
【００５９】
また、折畳み型携帯電話機９５は、前記第１及び第２の実施の形態と同様に、キーＦＰＣ２８のメタルドーム６２が、アンテナ３２とリジッド基板２２の厚さ方向に重なり合わない位置に設けられているため、アンテナ３２の利得の劣化を防止することができる。
【００６０】
なお、前記第１ないし第３の実施の形態において、アンテナ３２は、図３に示すように、リジッド基板２２におけるその長さ方向（ヒンジ４側とマイクロホン１６側を結ぶ方向）のヒンジ４側の端部であって、リジッド基板２２の幅方向の一方の端部に配置されるようになっていたが、アンテナ３２は、リジッド基板２２におけるその長さ方向のヒンジ４側又はマイクロホン１６側の端部であって、幅方向に制限のない位置に配置されるようになっていてもよい。また、リジッド基板２２におけるその幅方向のいずれか一方の端部であって、長さ方向に制限のない位置に配置されるようになっていてもよい。
【００６１】
このような場合においても、アンテナ３２の位置に対応するケース体２４，９２，９７の平板部２５のアンテナ対向領域Ｓには、前記第１ないし第３の実施の形態と同様に、導電層が形成されないようにし、また、このアンテナ対向領域Ｓの周縁の一定区間でリブ２６が形成されないようにすることはいうまでもない。
【００６２】
また、前記第３の実施の形態では、図８に示すように、アンテナ対向領域Ｓの周縁の四辺のうちリブ２６ｂ，２６ｃ，２６ｅに対応する三辺以外の辺に対応する平板部２５の一定長さの区間には、リブ２６は形成されていなかったが、この区間に、前記第２の実施の形態に係る折畳み型携帯電話機９０のケース体９２（図７参照）と同様のリブ２６ｄを設けるようにしてもよい。
【００６３】
また、前記第１ないし第３の実施の形態では、リジッド基板２２、ケース体２４，９２，９７は、第２筐体８の内部に収納されるようになっていたが、第１筐体６の内部に収納されるようになっていてもよい。
【００６４】
また、前記第１ないし第３の実施の形態において、ケース体２４，９２，９７は、平板部２５及びリブ２６を有する構造になっていたが、ケース体２４，９２，９７は、このような構造のものに限定されない。例えば、ケース体２４，９２，９７は、平板部２５の代わりに曲率や段差等を有する板部を有していてもよく、また、リブ２６の代わりに、このリブ２６と同じ高さの支柱を複数有し、この支柱の先端面がリジッド基板２２の第２面２２ｂに当接するように、このリジッド基板２２に取付けられるようになっていてもよい。
【００６５】
また、本実施の形態では、折畳み型携帯電話機２に対して本発明を適用した場合について説明したが、折畳み型携帯電話機２以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置のような、他の無線通信端末についても本発明を適用することができることはいうまでもない。
【符号の説明】
【００６６】
２  折畳み型携帯電話機
４  ヒンジ
６  第１筐体
８  第２筐体
１０  表示部
１２  スピーカー
１４  操作部
１６  マイクロホン
１８  上側ケース
２０  下側ケース
２２  リジッド基板
２２ａ  第１面
２２ｂ  第２面
２４  ケース
２５  平板部
２６，２６ａ，２６ｂ，２６ｃ，２６ｄ，２６ｅ  リブ
２８  キーＦＰＣ
２８ａ  第１面
２８ｂ  第２面
３０  キーシート
３２  アンテナ
３６，３８  基準電位パターン
４８  キースイッチ
６２  メタルドーム
８０  キートップ
８１  操作面
８２  キー孔
９０  折畳み型携帯電話機
９２  ケース
９５  折畳み型携帯電話機
９７  ケース
【図１】
0004712103.tif 000002
【図２】
0004712103.tif 000003
【図３】
0004712103.tif 000004
【図４】
0004712103.tif 000005
【図５】
0004712103.tif 000006
【図６】
0004712103.tif 000007
【図７】
0004712103.tif 000008
【図８】
0004712103.tif 000009